(57)【要約】【課題】カーカス端部でのセパレーション防止とカーカスの引抜け防止を高いレベルで両立させ、ビード部の耐久性を向上させた空気入りタイヤを提供する。【解決手段】空気入りタイヤは、タイヤ周方向に延びる複数本のビードワイヤ６で構成されるビードコア２を埋設してなる一対のビード部１と、ビード部１からタイヤ径方向外側に延びる一対のサイドウォール部と、両サイドウォール部間に跨って延びるトレッド部とを具える。さらに、これら各部に亘ってトロイド状に延び、両端部をビードコア２の周りをタイヤ幅方向内側から外側へ折り返してなるカーカス５を有する。ビードワイヤ６は、隣接するビードワイヤと相互に補完的に係合する係合部８を有している。標準リムＲに装着し最高空気圧を充填した状態にて、リム径ライン位置ＲＬとカーカスの折返し端９との間のタイヤ径方向距離Ｄが、標準リムのリム径φの２．５〜５．０％の範囲内にある。【選択図】  図１
2010274784.tif 000002
【特許請求の範囲】
【請求項１】
タイヤ周方向に延びる複数本のビードワイヤで構成されるビードコアを埋設してなる一対のビード部と、該ビード部からタイヤ径方向外側に延びる一対のサイドウォール部と、両サイドウォール部間に跨って延びるトレッド部とを具え、これら各部に亘ってトロイド状に延び、両端部を前記ビードコアの周りをタイヤ幅方向内側から外側へ折り返してなるカーカスを有する空気入りタイヤにおいて、
タイヤ幅方向断面にて、前記ビードワイヤは、隣接するビードワイヤと相互に補完的に係合する係合部を有し、
標準リムに装着し最高空気圧を充填した状態にて、リム径ライン位置と前記カーカスの折返し端との間のタイヤ径方向距離が、前記標準リムのリム径の２．５〜５．０％の範囲内にあることを特徴とする空気入りタイヤ。
【請求項２】
前記標準リムのリム径位置から前記カーカスの折返し端までのタイヤ径方向距離が１５ｍｍ以上である、請求項１に記載の空気入りタイヤ。
【請求項３】
前記ビードワイヤは、タイヤ径方向に対して傾斜して直線状に延びるとともに相互に平行となる２つの直線部を有し、これら直線部の間に前記係合部が配置されてなる、請求項１又は２に記載の空気入りタイヤ。
【請求項４】
隣接する前記ビードワイヤは互いに接触している、請求項１〜３のいずれか一項に記載の空気入りタイヤ。
【請求項５】
前記ビードコアは、平行四辺形状の断面形状を有し、鋭角角部がタイヤ幅方向外側かつタイヤ径方向内側に配置されてなる、請求項１〜４のいずれか一項に記載の空気入りタイヤ。
【発明の詳細な説明】
【技術分野】
【０００１】
この発明は、タイヤ周方向に延びる複数本のビードワイヤで構成されるビードコアを埋設してなる一対のビード部と、該ビード部からタイヤ径方向外側に延びる一対のサイドウォール部と、両サイドウォール部間に跨って延びるトレッド部とを具え、これら各部に亘ってトロイド状に延び、両端部を前記ビードコアの周りをタイヤ幅方向内側から外側へ折り返してなるカーカスを有する空気入りタイヤに関するものであり、かかる空気入りタイヤの耐久性の向上を図る。
【背景技術】
【０００２】
一般的な空気入りタイヤにあっては、タイヤの負荷転動にカーカスの引き抜けを防止するために、十分な周方向剛性を有するビードコアの周りに、タイヤ幅方向内側から外側に向かってカーカスを折り返し、カーカスの折返し端を、リム径ライン位置のタイヤ径方向外側にあるゴム部材中に埋込むことで、ビードコアにカーカスを強固に固定している。このような従来技術にあっては、カーカスの折返し端が、ビード部のリムへの接触域よりもタイヤ径方向外側に位置することになる。その折返し端が位置するビード部若しくはサイドウォール部は、リムによって強固に保持され、ビードコア、ビードフィラ等によって強固に補強されるビード部の半径方向内端部分とは異なり、タイヤの負荷転動に際して、リムフランジよりもタイヤ径方向外側に位置する部分がタイヤ幅方向外側に向かって倒れ込み変形を繰り返す。この結果、特にカーカスの折返し端に大きなせん断変形が起き、ここからセパレーションを生じ、カーカスの折返し部に沿って進行するおそれがあった。
【０００３】
こうしたカーカス端部からのセパレーションを防止するには、ビード部及びサイドウォール部の倒れこみ変形の影響が小さいビードコア近傍にまでカーカス折返し端を下げることが有効であることが知られている。しかし、このようにカーカス折返し端の高さを下げると、ビード部からのカーカスの引抜けが発生するおそれがある。この理由は、カーカスでは、両ビード部間でトロイド状に延びるカーカス本体部と、ビード部の周りに折り返された折返し部にはそれぞれタイヤ径方向外側に向かう張力が加わり、これらの合力がビードコアによる係留力を上回った場合にカーカスの引抜けが生じるが、カーカス折返し端を下げる、すなわちカーカスの折返し部を短くすることは、この折返し部に加わる張力を小さくすることにもなり、この結果、引抜け方向への合力が大きくなるからである。
【０００４】
このように、従来の空気入りタイヤにあっては、カーカス端部でのセパレーション防止とカーカスの引抜け防止とは二律背反の関係にあり、これがタイヤの耐久性を効率的に向上させる上での障害となっていた。特に重荷重用タイヤでは、カーカス折返し端でのセパレーション抑制は従来から大きな課題であり、近年、特に環境への配慮がなされており、できるだけ資源を用いない軽量化したタイヤが望まれるに至り、上記のようなセパレーションを抑制することがますます重要となっている。
【０００５】
また、カーカスの引抜けが生ずる他の原因としては、カーカスに加わった張力の作用により、ビードコアがカーカスの引抜け方向に回転する変形を受け、この変形がカーカスの係留力を低下させ、カーカスの引抜けにつながることが知られている。
【０００６】
かかるカーカスの回転変形を防止するため、例えば特許文献１及び２には、隣接するビードワイヤと相互に補完的に係合する相補的形状部を有するビードワイヤを用いてビードコアを構成したタイヤが記載されている。かかるタイヤにおいては、ビードコアに回転応力が付加された場合に、相補的形状部を介して応力が隣接ビードワイヤに伝達され、回転応力が効果的に分散され、かつ、相補的形状部が隣接するビードワイヤの移動を制限するよう作用するため、ビードコアの回転変形を抑制することができる。
【先行技術文献】
【特許文献】
【０００７】
【特許文献１】国際公開第２００８／１２６８７５号パンフレット
【特許文献２】国際公開第２００８／１４３２８８号パンフレット
【発明の概要】
【発明が解決しようとする課題】
【０００８】
特許文献１及び２に記載されたタイヤは、カーカスの引抜けには効果があるものの、カーカス折返し端でのセパレーションについては検討がなされておらず、総合的な耐久性を向上させるためには更なる改良が望まれていた。
【０００９】
したがって、この発明は、従来技術が抱えるこのような問題点を解決することを課題とするものであり、その目的は、ビード部構造、特にはカーカスの折返し部及びビードコアを構成するビードワイヤの適正化を図ることにより、カーカス端部でのセパレーション防止とカーカスの引抜け防止を高いレベルで両立させ、ビード部の耐久性を向上させた空気入りタイヤを提供することにある。
【課題を解決するための手段】
【００１０】
上記目的を達成するため、この発明は、タイヤ周方向に延びる複数本のビードワイヤで構成されるビードコアを埋設してなる一対のビード部と、該ビード部からタイヤ径方向外側に延びる一対のサイドウォール部と、両サイドウォール部間に跨って延びるトレッド部とを具え、これら各部に亘ってトロイド状に延び、両端部を前記ビードコアの周りをタイヤ幅方向内側から外側へ折り返してなるカーカスを有する空気入りタイヤにおいて、タイヤ幅方向断面にて、前記ビードワイヤは、隣接するビードワイヤと相互に補完的に係合する係合部を有し、標準リムに装着し最高空気圧を充填した状態にて、リム径ライン位置と前記カーカスの折返し端との間のタイヤ径方向距離が、前記標準リムのリム径の２．５〜５．０％の範囲内にあることを特徴とする空気入りタイヤである。このような構成を採用することにより、ビードワイヤが相互に係合してビードコアの回転変形を防止するので、従来タイヤに比べてカーカスの折返し端を低く配置しても、十分なカーカスの耐引抜け性を確保することができる。
【００１１】
なお、ここでいう「標準リム」とは、ＪＡＴＭＡ、ＴＲＡ、ＥＴＲＴＯ等の、タイヤが製造、販売、又は使用される地域において有効な工業基準、規格等に定められる標準リムを意味し、「最高空気圧」とは、前記工業基準、規格等に定められる最高空気圧を意味する。また、「リム径ライン位置」とは、リム径測定位置を意味する。
【００１２】
かかる空気入りタイヤにあっては、標準リムのリム径位置からカーカスの折返し端までのタイヤ径方向距離が１５ｍｍ以上であることが好ましい。
【００１３】
また、ビードワイヤは、タイヤ径方向に対して傾斜して直線状に延びるとともに相互に平行となる２つの直線部を有し、これら直線部の間に係合部が配置されてなることが好ましい。
【００１４】
さらに、隣接するビードワイヤは互いに接触していることが好ましい。
【００１５】
加えて、ビードコアは、平行四辺形状の断面形状を有し、鋭角角部がタイヤ幅方向外側かつタイヤ径方向内側に配置されてなることが好ましい。
【発明の効果】
【００１６】
この発明によれば、従来タイヤに比べてカーカスの折返し端を低く配置して、ここからのセパレーションの発生を抑制しつつも、ビードワイヤの形状的な係合によりビードコアの回転変形を防止して、カーカスの引抜けを確実に防止することができ、これらの作用が相まって、ビード部の耐久性を大幅に向上させることが可能となる。
【図面の簡単な説明】
【００１７】
【図１】この発明に従う代表的な空気入りタイヤのビード部のタイヤ幅方向断面図であり、標準リムに装着された状態で示す。
【図２】図１に示すビードコアの一部を拡大して示す拡大断面図である。
【図３】この発明に従う他の空気入りタイヤのビード部のタイヤ幅方向断面図であり、標準リムに装着された状態で示す。
【図４】この発明の空気入りタイヤに好適に適用可能な種々のビードワイヤを例示するタイヤ幅方向の断面図である。
【図５】この発明の空気入りタイヤに好適に適用可能な種々のビードワイヤを例示するタイヤ幅方向の断面図である。
【発明を実施するための形態】
【００１８】
以下、図面を参照しつつ、この発明の実施の形態を説明する。図１は、この発明に従う代表的な空気入りタイヤ（以下「タイヤ」という）のビード部のタイヤ幅方向断面を、標準リムに装着された状態で示している。
【００１９】
この実施形態のタイヤは、図１に示すように、慣例に従い、一対のビード部１と、このビード部１からタイヤ径方向外側に延びる一対のサイドウォール部（図示せず）と、両サイドウォール部間に跨って延びるトレッド部（図示せず）とを具える。ビード部１には、ビードコア２が埋設されている。このビードコア２には、トレッド部、サイドウォール部及びビード部の各部に亘ってトロイド状に延びる本体部３と、この本体部３につながり、ビードコア２の回りをタイヤ幅方向内側から外側へ折り返してなる折返し部４とからなるカーカス５が係留されている。このカーカス５は、ラジアルカーカス及びバイアスカーカスの何れとしてもよい。ビードコア２は、タイヤ幅方向に複数列（図示の例では８列）に並列する環状のビードワイヤ６を複数段（図示の例では６段）の積層状に積み重ねてなるものである。
【００２０】
次に、図２を参照して、ビードワイヤ６の断面形状を詳述する。各ビードワイヤ６（ここでは、説明の便宜上、図２の紙面向かって左側から順にビードワイヤ６ａ、ビードワイヤ６ｂ及びビードワイヤ６ｃとする）は、タイヤ幅方向断面において、タイヤ径方向に対して傾斜して直線状に延びる直線部７と、タイヤ幅方向に相互に隣接するビードワイヤ６ａ、６ｂ、６ｃ間で形状的に相互に補完し合う係合部８とを具えてなる。直線部７は、タイヤ径方向の上側（紙面向かって上側）と下側（紙面向かって下側）に相互に平行して延びる上側直線部７ａ及び下側直線部７ｂを有する。係合部８は、これら二つの直線部７ａ、７ｂ間に配置されており、紙面向かって左側に位置する第１係合部８ａと、紙面向かって右側に位置し、第１係合部８ｂと相補的な形状を有する第２係合部８ｂを有する。ビードワイヤ６をこのような断面形状に形成したので、例えば、ビードワイヤ６ｂは、凸状をなすその第１係合部８ａにて、隣接するビードワイヤ６ａの凹状の第２係合部８ｂと補完的に係合し、その一方で、凹状をなすその第２係合部８ａにて、反対側に隣接するビードワイヤ６ｃの凸状をなす第１係合部８ａと補完的に係合している。
【００２１】
かかる実施形態の空気入りタイヤにあっては、隣接するビードワイヤ６は第１及び第２係合部８ａ、８ｂを介して互いに係合しているので、相互に応力を伝達し易い。よって、空気充填時や経時変化時等にビードコア２に回転応力が付加されても、かかる回転応力は各ビードワイヤ６間に効果的に分散され、ビードコア２全体として回転変形は小さくなり、言い換えれば回転剛性は大きくなる。また、ビードコア２に回転応力が付加された場合に、上記係合部８による補完的係合がタイヤ幅方向に連続して形成されているため、ビードワイヤ６のタイヤ径方向への移動は抑制される。この結果、ビードコア２に回転応力が付加された際の各ビードワイヤ６の、タイヤ幅方向断面における張力分布は均一化される。
【００２２】
このようにこの発明の空気入りタイヤによれば、互いに隣接するビードワイヤ６間に係合部８による補完的な係合を形成することにより、ビードコア全体としての回転剛性を大きくしてカーカス５の引き抜けを有効に抑制することができる。
【００２３】
また、この発明に係るタイヤは、図１に示すように、標準リムＲに装着し、最高空気圧を充填した状態で、リム径ライン位置ＲＬとカーカス５の折返し端９との間のタイヤ径方向距離をＤとし、標準リムＲのリム径をφとして、
０．０２５φ≦Ｄ≦０．０５φ
なる関係を満たすようにカーカス折返し端９を配置している。このように、カーカス折返し端９が、リムフランジからのタイヤ径方向距離が比較的小さく、したがってタイヤの負荷転動の際にビード部やサイドウォール部が倒れ込み変形をした場合であっても、タイヤ幅方向への変位が小さい領域内に位置するので、かかる倒れ込み変形によりカーカス折返し端９にせん断変形が生じにくく、したがってカーカス折返し端９からのセパレーションの発生を有効に抑制できる。より好ましい範囲は、Ｄ≦２５ｍｍであり、これによりカーカス折返し端９におけるせん断変形を実質的に無くすことができる。
【００２４】
このようにカーカス折返し端９を下げる、すなわちカーカスの折返し部４を短くすることは、カーカス折返し部４に加わる張力を低減することとなり、カーカス５を引抜く方向に作用する張力を増大させることとなる。しかし、前述したように、ビードコアの回転剛性を大きくしたことで、カーカス５を引抜く方向に作用する張力の増大以上にビードコアによるカーカスの係留力を向上させているので、カーカス５の引抜けは有効に防止される。
【００２５】
なお、製造工程において、カーカスの折返し部は、カーカス部材をブラダ等を用いてビードコアの周りに巻き返して形成されるため、ある程度の長さを確保しておかねば巻き返し不良が発生し、これに起因した不良品の発生や故障の原因となり得ることから、リム径ライン位置ＲＬとカーカスの折返し端９との間のタイヤ径方向距離Ｄをリム径φの２．５％以上としている。より好ましい範囲は距離Ｄが１５ｍｍ以上である。
【００２６】
また、ビードワイヤ６の係合部８のタイヤ幅方向の長さ、すなわち隣接するビードワイヤがタイヤ幅方向で係合している長さの総和（ここでは、第１係合部８ａのタイヤ幅方向の長さＸ１と第２係合部８ｂのタイヤ幅方向の長さＸ２との和）は、ビードワイヤ６のタイヤ幅方向の長さＸの２０％以上とすることが好ましい。このようにすれば、確実な係合が得られるので、ビードコアの回転剛性をさらに効果的に高めることができる。
【００２７】
ところで、上記の実施形態では、隣接するビードワイヤ６は互いに直接的に接触しているが、隣接するビードワイヤ間に被覆ゴム等を介在させることもできる（図示せず）。しかしならが、被覆ゴムの経時的なクリープ変形に起因するビードコア２の形状くずれを防止するという観点からは、隣接するビードワイヤ６を、その間に被覆ゴム等を介在させることなく、互いに直接接触させることが好ましい。このように、隣接するビードワイヤ６を相互に直接接触させることで、被覆ゴムを介在させた場合に比べてビードコア２の全体としての経時的変化を小さくすることができるので、さらにカーカス５の引き抜けを抑制することができるとともにカーカス５の端部の歪みを小さくすることができる。
【００２８】
図３は、この発明に従う他の空気入りタイヤのビード部のタイヤ幅方向断面を、標準リムに装着された状態で示している。この例では、ビードワイヤ６のタイヤ幅方向断面形状を平行四辺形とし、平行四辺形の鋭角角部を第１係合部８ａとし、鈍角角部を第２係合部８ｂとすることで、隣接ビードワイヤ間で補完的な係合を形成している。また、隣接するビードワイヤの当接面は、右上がりの形状となっている。図示のビード部１で、カーカスに引抜け方向の張力が加わった際には、ビードコア２は反時計回りに回転変形しようとするが、当接面が右上がりであるので、右側のビードワイヤは、左側のビードワイヤを上方向に押すことから応力伝達は良い。この結果、空気充填時、荷重負荷時及び経時変化時等にビードコア２に加えられる回転応力は効率よく分散され、ビードコア２全体として回転変形は小さく、言い換えれば回転剛性は大きくなる。しかも、上記隣接面は、反時計回りの回転応力が加えられたときに、隣接するビードワイヤ６をタイヤ径方向上側もしくは下側に押し動かしにくい方向に向き合っていることから、ビードコア２全体としてビードワイヤ６のタイヤ幅方向断面内における周方向の張力分布は均一化される。
【００２９】
そして、この例では、ビードコア２のタイヤ幅方向断面形状を平行四辺形状にし、その鋭角角部をタイヤ幅方向外側かつタイヤ径方向内側となるように配置している。これにより、ビードコアにカーカス引抜け方向、すなわち反時計回りの回転応力が加わった場合に、上記鋭角角部がカーカス５をリムＲに押し付けるように作用することから、カーカスの引抜け防止効果が向上する。
【００３０】
次に、この発明に好適に利用可能な種々のビードワイヤ６について図４に基づいて説明する。
【００３１】
上述したように、第１係合部８ａ及び第２係合部８ｂの形状は、隣接するビードワイヤ６同士を形状的に相互に補完し得るものであればよく、それらは、図１及び２に示した形状に限定されるものではない。例えば、図４（ａ）〜（ｕ）に示すように、凸部及び凹部が複数であったり、曲線状であったり、キー及びキー溝型であったりしても良い。図４（ａ）〜（ｄ）、（ｉ）〜（ｌ）及び（ｍ）〜（ｑ）では、係合部８は、二つの直線部７ａ、７ｂ間に全体に亘って延在している。これによれば、各ビードワイヤ３の係合部８は、二つの直線部７ａ、７ｂ間に全体に亘って延在しているので、空気充填時や経時変化時等に起因した回転応力がビードワイヤ６に付加されても、係合部８に局所的に力が加わることがなく、すなわち係合部８に加わる力は効果的に分散される。その結果、ビードワイヤ６の変形量は少なくなり、回転剛性はさらに高まる。図４（ｅ）〜（ｈ）に示すビードワイヤ６は、タイヤ幅方向断面にて、同一形状の二つの方形Ｓ１、Ｓ２をずらして重ねてなる輪郭形状を有するものである。また、ビードワイヤ６は、図４（ａ）及び（ｂ）に示すように、タイヤ径方向に上下に隣接するビードワイヤ６は左右に揃えて配置しても良く、又は図４（ｃ）及び（ｄ）に示すように左右にずらして配置しても良い。
【００３２】
また、図４に示す例では、タイヤ幅方向断面にて、ビードコア２のタイヤ径方向上側及び下側の輪郭線７ａ、７ｂは直線状に延びている。これによれば、ビードコア２のタイヤ径方向下側及び上面に凹凸が生じることがなく、ビードワイヤ６を束ねて使用する場合に形状くずれし難いので、すなわちビードコアの断面形状の安定性が高まるので、加硫時のビードコア２の崩れが抑制される。しかも、リムからの押圧力がビードワイヤ６の特定の箇所に集中することがないため、ビードワイヤ全体に均等に力がかかり、これらによって構成されるビードコア全体にも均等に力がかかることになるので、回転剛性としては高いものになる。加えて、下側の輪郭線７ｂとタイヤ径方向とのなす角度は、７５度以上９０度以下の範囲にあることが好ましい（特に、図４（ａ）参照）。このようにすれば、ビードワイヤ６を巻回してビードコア２を形成した際にビードコア２に所定のテーパ角度与え、ひいてはリムと当接するビード部１の下部に適正なテーパ角度を与えることができる。
【００３３】
なお、上述したところは、この発明の実施形態の一部を示したに過ぎず、この発明の趣旨を逸脱しない限り、これらの構成を相互に組み合わせたり、種々の変更を加えたりすることができる。例えば、図１〜４では、タイヤ幅方向に隣接するビードワイヤ間で補完的な係合が行われる例を示したが、図５に示すように、タイヤ径方向に隣接するビードワイヤ間で補完的な係合が行われるように構成することもできる。
【実施例】
【００３４】
次に、この発明の効果を確認するために、この発明に従うタイヤ（実施例１〜４）及び従来技術のタイヤ（従来例１、２）を試作し以下の試験により比較検討を行った。
【００３５】
試験に用いたタイヤはいずれも、タイヤサイズが２７５／８０Ｒ２２．５のトラック・バス用ラジアルタイヤであり、以下の諸元を有する。
【００３６】
実施例１〜３のタイヤは、図１に示したビード部構造を有するタイヤであり、実施例４のタイヤは、図３に示したビード部構造を有するタイヤである。これら実施例のタイヤのビードコアは、金属製のビードワイヤをタイヤ幅方向に８本並列に配置し、そしてタイヤ径方向に６層に巻き重ね金属帯により集束固定されてなる。なお、各ビードワイヤ間は、直接接触している。また、これらのタイヤは、１層のカーカスの両端部がビードコアの周りにタイヤ内側から外側に折り返され、トレッド部のカーカス外周側には４層のベルト層を配置した構成である。リム径ライン位置とカーカスの折返し端との間のタイヤ径方向距離は、それぞれ２０ｍｍ、１５ｍｍ、２５ｍｍ、３０ｍｍである。なお、ビード部以外の構造については慣例の空気タイヤに従うものであり説明を省略する。
【００３７】
従来例１及び２のタイヤは、上記図１及び３に示すビードワイヤに代えて丸素線のビードワイヤを用いてビードコアを構成したものである（図示せず）。すなわちビードコアは、実施例１〜４と同一金属製の１．８ｍｍ径の１本のビードワイヤをタイヤ径方向内側から順に、７、８、９、８、７及び６列となるようにタイヤ幅方向及びタイヤ径方向にコイル状に巻き重ねてなり、その断面形状は六角形である。なお、ビードワイヤの巻き数は、上記実施例１〜４のタイヤ幅方向断面におけるビードワイヤの総断面積と同一となるように決定されている。また、リム径ライン位置とカーカスの折返し端との間のタイヤ径方向距離は、それぞれ３５ｍｍ、２０ｍｍである。その以外の構成は、実施例１〜４のタイヤと同じである。
【００３８】
これら各試験タイヤをサイズ８．２５のリムに装着してタイヤ車輪とし、このタイヤ車輪に空気圧８７５ｋＰａ（相対圧）を適用し、室内ドラム試験機を用い、これらタイヤを正規荷重の１５０％の荷重の作用下で６０ｋｍ／ｈの速度で負荷転動させ、ビード部が故障するまでの走行距離を計測し、この計測値から耐久性を評価した。また、ドラム試験を終えた各試験タイヤを解体し、故障の発生箇所を目視確認した。これらの結果を表１に示す。なお、表１中の耐久性は、従来例１の耐久性を１００としたときの指数比で示してあり、数値が大きいほど耐久性が優れている。
【００３９】
【表１】
2010274784.tif 000003
【００４０】
表１に示す結果から明らかなように、実施例１〜４のタイヤは、従来例１及び２のタイヤに比べてビード部の耐久性が著しく向上することが分かる。
【産業上の利用可能性】
【００４１】
以上の説明から明らかなように、この発明によって、従来タイヤに比べてカーカスの折返し端を低く配置して、ここからのセパレーションの発生を抑制しつつも、ビードコア全体としての回転剛性を大きくしてカーカス引き抜けを抑制し、もってビード部の耐久性を向上させた空気入りタイヤを提供することが可能となった。
【符号の説明】
【００４２】
１    ビード部
２    ビードコア
３    カーカス本体部
４    カーカス折返し部
５    カーカス
６、６ａ、６ｂ、６ｃ    ビードワイヤ
７、７ａ、７ｂ    ビードワイヤの直線部
８、８ａ、８ｂ    係合部
９    カーカス折返し端
【図１】
2010274784.tif 000004
【図２】
2010274784.tif 000005
【図３】
2010274784.tif 000006
【図４】
2010274784.tif 000007
【図５】
2010274784.tif 000008